(57)【要約】【課題】位置調整を要する光学素子を安定して設置できるプロジェクターを提供する。【解決手段】光源装置と、光源装置から出射された光束を変調する光変調装置と、光変調装置により変調された光束を投射する投射光学装置と、光源装置から出射された光束の中心軸上に配置され、当該中心軸に対して位置調整される光学部品（第２レンズアレイユニット６）と、当該光学部品が収納される光学部品用筐体４と、を備え、光学部品用筐体４は、当該光学部品が設置される筐体側溝部（溝部４２５，４２６）を有し、上記光学部品は、所定の光学特性を有する光学素子（レンズアレイ本体６１）と、当該光学素子の周縁を囲み、筐体側溝部に設置される枠状のフレーム６２と、を有し、フレーム６２は、筐体側溝部に接着剤によって固定される。【選択図】図８
2014085372.tif 000002
【特許請求の範囲】
【請求項１】
光源装置と、
前記光源装置から出射された光束を変調する光変調装置と、
前記光変調装置により変調された光束を投射する投射光学装置と、
前記光源装置から出射された光束の光路上に配置され、当該光束に対して位置調整される光学部品と、
前記光学部品が収納される光学部品用筐体と、を備え、
前記光学部品用筐体は、前記光学部品が設置される筐体側溝部を有し、
前記光学部品は、
所定の光学特性を有する光学素子と、
前記光学素子の周縁を囲み、前記筐体側溝部に設置される枠状のフレームと、を有し、
前記フレームは、前記筐体側溝部に接着剤によって固定されることを特徴とするプロジェクター。
【請求項２】
請求項１に記載のプロジェクターにおいて、
前記光源装置から入射される光束を複数の部分光束に分割する第１レンズアレイと、
前記第１レンズアレイから入射される前記複数の部分光束を前記光変調装置に重畳させる第２レンズアレイと、を有し、
前記光学素子は、前記第２レンズアレイであることを特徴とするプロジェクター。
【請求項３】
請求項１又は請求項２に記載のプロジェクターにおいて、
前記フレームは、前記筐体側溝部への当該フレームの設置方向の基端側の端面と、前記筐体側溝部の内面に対向する端面とに亘ってフレーム側溝部を有することを特徴とするプロジェクター。
【請求項４】
請求項１から請求項３のいずれかに記載のプロジェクターにおいて、
前記フレームの熱伝導率は、前記光学素子の熱伝導率より低いことを特徴とするプロジェクター。
【請求項５】
請求項１から請求項４のいずれかに記載のプロジェクターにおいて、
前記光学素子は、
前記所定の光学特性に応じて、入射される光束を光学変換する光学変換部と、
前記光学変換部の周囲に形成された平坦部と、を有し、
前記フレームは、
前記平坦部に当接される当接面、及び、前記光学素子の周方向の側面に応じた内面を有するフレーム本体と、
前記フレーム本体に設けられ、前記側面を前記内面に向かって付勢する第１付勢部材と、
前記フレーム本体に取り付けられ、前記光学素子を前記当接面に向かって付勢する第２付勢部材と、を備えることを特徴とするプロジェクター。
【請求項６】
請求項５に記載のプロジェクターにおいて、
前記フレーム本体は、前記光学部品用筐体と同一の材料で形成されていることを特徴とするプロジェクター。
【請求項７】
請求項１から請求項６のいずれかに記載のプロジェクターにおいて、
前記フレームは、前記光学部品の位置調整を行う治具が当接される部位に、当該治具との抵抗を付与する抵抗部を有することを特徴とするプロジェクター。
【請求項８】
請求項１から請求項７のいずれかに記載のプロジェクターにおいて、
冷却流体を送出する冷却装置を備え、
前記光学部品用筐体は、前記筐体側溝部近傍で、かつ、当該筐体側溝部が形成された側壁内に、前記筐体側溝部への前記フレームの設置方向に沿って前記冷却流体が流通する流路を有することを特徴とするプロジェクター。
【発明の詳細な説明】
【技術分野】
【０００１】
本発明は、プロジェクターに関する。
【背景技術】
【０００２】
従来、光源装置と、当該光源装置から出射された光束を変調する光変調装置と、変調された光束をスクリーン等の被投射面上に投射する投射光学装置と、を備えたプロジェクターが知られている。このようなプロジェクターは、これらの他に、レンズ部材及びミラー等の複数の光学部品と、これら複数の光学部品を内部に設定された照明光軸上の所定位置に収納する光学部品用筐体と、を備える。
【０００３】
上記複数の光学部品には、上記照明光軸に対する位置調整が必要なものが含まれる。このような光学部品として、例えば、光源から出射された光束の中心軸に対する直交面内の照度を均一化する照明光学装置を構成する第１レンズアレイ及び第２レンズアレイが挙げられる。そして、当該各レンズアレイが挿入される溝が形成された光学部品用筐体を備えたプロジェクターが知られている（例えば、特許文献１参照）。
【０００４】
この特許文献１に記載のプロジェクターでは、上記溝部と第１レンズアレイとの間に間隔調整部材を挿入することで、第１レンズアレイの照明光軸方向の位置を調整している。
一方、第２レンズアレイの位置調整方法としては、例えば、溝に挿入された第２レンズアレイを上記中心軸に対する直交方向に移動させて位置調整を実施した後、当該溝と第２レンズアレイとの間に接着剤を注入して、これらを固定する方法が提案されている。
【先行技術文献】
【特許文献】
【０００５】
【特許文献１】特開２００５−２３４１２６号公報
【発明の概要】
【発明が解決しようとする課題】
【０００６】
近年、画像の高輝度化の要望に応じて、高輝度な光源装置が採用される傾向にある。しかしながら、上記プロジェクターに高輝度な光源装置が採用されると、第２レンズアレイに入射される光量が高くなり、当該第２レンズアレイの温度も高くなる。このような場合、第２レンズアレイの熱が、当該第２レンズアレイを固定する接着剤を溶融させる可能性があり、当該接着剤が溶融すると、第２レンズアレイの位置がずれる可能性がある。
このため、第２レンズアレイを安定して固定できる構成が要望されてきた。
【０００７】
本発明は、位置調整を要する光学素子を安定して設置できるプロジェクターを提供することを目的の一つとする。
【課題を解決するための手段】
【０００８】
本発明の一態様に係るプロジェクターは、光源装置と、前記光源装置から出射された光束を変調する光変調装置と、前記光変調装置により変調された光束を投射する投射光学装置と、前記光源装置から出射された光束の光路上に配置され、当該光束に対して位置調整される光学部品と、前記光学部品が収納される光学部品用筐体と、を備え、前記光学部品用筐体は、前記光学部品が設置される筐体側溝部を有し、前記光学部品は、所定の光学特性を有する光学素子と、前記光学素子の周縁を囲み、前記筐体側溝部に設置される枠状のフレームと、を有し、前記フレームは、前記筐体側溝部に接着剤によって固定されることを特徴とする。
【０００９】
上記一態様によれば、光学素子は、当該光学素子を保持するフレームを介して、筐体側溝部に接着剤により固定される。これによれば、フレームが設けられていない場合に比べて、光学素子と筐体側溝部との接着部位を、当該光学素子に入射される光の中心軸から遠ざけることができる。このため、当該中心軸近傍の位置から、当該接着部位を離すことができるので、当該中心軸近傍で生じた高い熱が、当該接着部位に及ぼす影響を小さくでき、接着剤が溶融することを抑制できる。従って、接着剤の溶融による光学部品の位置ずれが生じることを抑制でき、当該光学部品を安定して筐体側溝部に固定できる。
また、接着剤の温度上昇を抑制できるので、溶融温度が比較的低い接着剤を利用することも可能となり、使用される接着剤の選択範囲を拡大できる。
更に、フレームを用いることにより、光学部品のコバ厚（レンズ周辺の厚さ）が変更される場合でも、当該フレームを変更することで、光学部品用筐体を変更せずに利用できる。従って、光学部品用筐体を共通化できる。
【００１０】
上記一態様では、前記光源装置から入射される光束を複数の部分光束に分割する第１レンズアレイと、前記第１レンズアレイから入射される前記複数の部分光束を前記光変調装置に重畳させる第２レンズアレイと、を有し、前記光学素子は、前記第２レンズアレイであることが好ましい。
【００１１】
ここで、第１レンズアレイが光学部品用筐体に固定される場合、光源装置から出射された光束を光変調装置に対して適切に入射させるためには、第２レンズアレイを適切な位置に調整する必要がある。このため、筐体側溝部に第２レンズアレイを固定する接着剤が溶融してしまうと、光変調装置に光を適切に入射させることが困難となる。
これに対し、上記一態様によれば、第２レンズアレイを固定する接着剤の溶融を抑制できる。従って、第２レンズアレイの位置ずれを抑制でき、光変調装置に光束を適切に入射させることができる。
【００１２】
上記一態様では、前記フレームは、前記筐体側溝部への当該フレームの設置方向の基端側の端面と、前記筐体側溝部の内面に対向する端面とにフレーム側溝部を有することが好ましい。
上記一態様によれば、フレームが設置された筐体側溝部に接着剤が注入されると、当該接着剤は、フレームにおける上記設置方向基端側の端面からフレーム側溝部に侵入して、当該設置方向先端側へと流れることとなる。これによれば、接着剤とフレーム及び筐体側溝部の面との接触面積を拡大できる。従って、筐体用溝部に対してフレームを確実に固定できる。
【００１３】
なお、前記フレーム側溝部は、前記設置方向に沿う主幹部と、前記主幹部から前記設置方向に対する直交方向に沿うとともに、前記筐体側溝部の内面に対向する端面に沿う枝部と、を有することが好ましい。
このような構成によれば、フレーム側溝部の面積を拡大できるので、上記接触面積をより拡大でき、フレームを筐体側溝部により確実に固定できる。
【００１４】
また、前記フレームは、当該フレームにおける前記挿入方向基端側の端面に、前記フレーム側溝部と接続される凹部を有することが好ましい。
このような構成によれば、凹部に接着剤を注入することで、フレーム側溝部に当該接着剤を流しやすくすることができる。
【００１５】
上記一態様では、前記フレームの熱伝導率は、前記光学素子の熱伝導率より低いことが好ましい。
上記一態様によれば、光学素子の熱を接着剤に伝えにくくすることができ、当該接着剤の溶融による光学素子の位置ずれをより確実に抑制できる。
【００１６】
上記一態様では、前記光学素子は、前記所定の光学特性に応じて、入射される光束を光学変換する光学変換部と、前記光学変換部の周囲に形成された平坦部と、を有し、前記フレームは、前記平坦部に当接される当接面、及び、前記光学素子の周方向の側面に応じた内面を有するフレーム本体と、前記フレーム本体に設けられ、前記側面を前記内面に向かって付勢する第１付勢部材と、前記フレーム本体に取り付けられ、前記光学素子を前記当接面に向かって付勢する第２付勢部材と、を備えることが好ましい。
【００１７】
上記一態様によれば、フレームが、光学素子の側面をフレーム本体の内面に向かって付勢する第１付勢部材を備えることにより、光学素子が当該内面に向かう方向に沿って揺動することなく、当該光学素子を保持できる。
また、フレームが、光学素子を当接面に向かって付勢する第２付勢部材を備えることにより、光学素子が当該当接面に向かう方向に沿って揺動することなく、当該光学素子を保持できる。
従って、フレーム本体に光学素子を安定して取り付けることができ、筐体側溝部に接着固定されるフレーム内で光学素子の位置ずれが発生することを抑制できる。
【００１８】
上記一態様では、前記フレーム本体は、前記光学部品用筐体と同一の材料で形成されていることが好ましい。
上記一態様によれば、接着剤とフレーム本体及び筐体側溝部との親和性を高めることができるので、フレーム本体と筐体側溝部とを強固に接着固定できる他、使用可能な接着剤の選択範囲を更に拡大できる。
【００１９】
上記一態様では、前記フレームは、前記光学部品の位置調整を行う治具が当接される部位に、当該治具との抵抗を付与する抵抗部を有することが好ましい。
なお、抵抗部は、例えば、治具との抵抗を高める加工を施すことで形成でき、当該加工として、凹凸を形成する加工や、粗面化処理（例えばホーニング処理）を例示できる。
上記一態様によれば、抵抗部により、光学部品の位置調整を行う治具とフレームとの滑りを抑制できる。従って、治具による光学部品の位置調整を実施しやすくすることができる。
【００２０】
上記一態様では、冷却流体を送出する冷却装置を備え、前記光学部品用筐体は、前記筐体側溝部近傍で、かつ、当該筐体側溝部が形成された側壁内に、前記筐体側溝部への前記フレームの設置方向に沿って前記冷却流体が流通する流路を有することが好ましい。
【００２１】
ここで、前述の特許文献１に記載のプロジェクターでは、溝部に設置された第２レンズアレイ等の光学部品は、高輝度な光源装置から出射された光束が入射されることで温度が高くなる。この場合、前述のように、溝部の内面と光学部品とを接着固定する接着剤が、当該光学部品の熱により溶融し、光学部品の位置ずれが生じる可能性がある。
これに対し、光学部品に冷却空気を送風して、当該光学部品を冷却する構成が知られている。しかしながら、このような構成では、光学部品をある程度冷却できるが、接着剤の冷却を適切に行うことはできず、上記位置ずれが生じる可能性は残る。このような可能性は、溶融温度が低い接着剤が採用された場合に、より高くなる。
このため、溝部内の接着剤を冷却できる構成が要望されてきた。
【００２２】
これに対し、上記一態様によれば、光学部品用筐体において、筐体側溝部近傍で、かつ、当該筐体側溝部が形成された側壁内に、上記設置方向に沿って冷却流体が流通する流路が形成されている。これによれば、流路内を流通する冷却流体により、当該流路近傍に位置する溝部周辺の部位を冷却でき、ひいては、当該溝部内の接着剤を冷却できる。従って、接着剤の溶融による光学部品の位置ずれを抑制できる。
【図面の簡単な説明】
【００２３】
【図１】本発明の一実施形態に係るプロジェクターの構成を示す模式図。
【図２】前記実施形態における第２レンズアレイユニットを光束出射側から見た斜視図。
【図３】前記実施形態における第２レンズアレイユニットを光束入射側から見た斜視図。
【図４】前記実施形態におけるレンズアレイ本体を光束出射側から見た図。
【図５】前記実施形態におけるレンズアレイ本体及びフレーム本体を光束入射側から見た図。
【図６】前記実施形態におけるレンズアレイ本体及びフレーム本体を示す断面図。
【図７】前記実施形態における第２付勢部材を示す斜視図。
【図８】前記実施形態における光学部品用筐体の一部を拡大して示す平面図。
【図９】前記実施形態における光学部品用筐体に形成された冷却流路を示す模式図。
【発明を実施するための形態】
【００２４】
以下、本発明の一実施形態を図面に基づいて説明する。
［プロジェクターの構成］
図１は、本実施形態に係るプロジェクター１の構成を示す模式図である。
本実施形態に係るプロジェクター１は、後述する光源装置３１から出射された光を変調し、変調された光をスクリーン等の被投射面上に拡大投射することで、当該被投射面上に画像を表示する。このプロジェクター１は、図１に示すように、外装筐体２と、当該外装筐体２内に収納される光学ユニット３及び冷却装置９と、を備える。この他、図示を省略するが、プロジェクター１は、当該プロジェクター１を制御する制御装置、及び、当該プロジェクター１を構成する電子部品に電力を供給する電源装置を備える。
これらのうち、冷却装置９は、冷却用ファン９１と、当該冷却用ファン９１から送出された空気を後述する照明光学装置３２の下方に導くダクト９２と、を備える。  なお、プロジェクター１は、設置面に載置される正置き姿勢、及び、天井等に取り付けられる天吊り姿勢のいずれかで設置可能である。そして、外装筐体２の外面のうち、後述する投射光学装置３６が露出する面が前面であり、当該前面とは反対側の面が背面である。また、当該外面のうち、正置き姿勢で上方を向く面が上面であり、鉛直方向に沿い、かつ、前面及び背面を接続する面が側面である。
【００２５】
［光学ユニットの構成］
光学ユニット３は、前述の制御装置から入力される駆動信号に応じた画像光を形成し、当該画像光を前述の被投射面上に投射する。この光学ユニット３は、外装筐体２の背面に沿って延出するとともに、当該外装筐体２の側面に沿って延出する平面視略Ｌ字形状を有している。このような光学ユニット３は、光源装置３１と、照明光学装置３２と、色分離光学装置３３と、リレー光学装置３４と、電気光学装置３５と、投射光学装置３６と、光源装置３１及び各光学装置３２〜３４が収納される光学部品用筐体４と、を備える。
【００２６】
光源装置３１は、光源ランプ３１１及びリフレクター３１２を有し、照明光学装置３２に光束を出射する。なお、光源ランプ３１１に代えて、ＬＥＤ（Light Emitting Diode）等の固体光源を採用してもよい。
照明光学装置３２は、光源装置３１から出射された光束の中心軸に対する直交面内の照度を均一化する。この照明光学装置３２は、第１レンズアレイ３２１、調光装置５、第２レンズアレイユニット６、偏光変換素子３２３及び重畳レンズ３２４を備える。
【００２７】
第１レンズアレイ３２１は、詳しい図示を省略するが、入射される光束の中心軸に対する直交面内にマトリクス状に配列された複数の小レンズである第１レンズを有し、当該複数の第１レンズにより、光源装置３１から入射された光束を複数の部分光束に分割する。
第２レンズアレイユニット６は、当該第２レンズアレイユニット６の光路後段に位置する重畳レンズ３２４とともに、第１レンズアレイ３２１から出射された複数の部分光束を、後述する液晶パネル３５３の画像形成領域に重畳させる。なお、第２レンズアレイユニット６の構成は後に詳述する。
偏光変換素子３２３は、第２レンズアレイユニット６から入射される各部分光束を、１種類の直線偏光に変換する。
【００２８】
調光装置５は、第１レンズアレイ３２１と第２レンズアレイユニット６との間に配置され、当該第１レンズアレイ３２１から第２レンズアレイユニット６に入射される光量を調整し、ひいては、液晶パネル３５３に入射される光量を調整する。この調光装置５は、第１レンズアレイ３２１から出射された光束の中心軸を中心とする対称位置に配置され、かつ、当該光束の通過領域内に挿抜される一対の遮光板５１と、当該一対の遮光板５１を移動させる移動手段（図示省略）と、を有する。
【００２９】
一対の遮光板５１のそれぞれは、板状に形成されている。これら遮光板５１は、上記移動手段により、第１レンズアレイ３２１から入射される光束の中心軸に対する直交方向に沿って、互いに近接又は離間する方向に移動される。このような一対の遮光板５１により、上記通過領域を通過する光の一部が遮蔽され、第２レンズアレイユニット６に入射される光量が調整される。
なお、本実施形態では、一対の遮光板５１は、入射される光束の中心軸に対する直交方向に沿って移動するとしたが、これに限らず、当該直交方向に沿う回動軸を中心として回動することで、上記通過領域内に挿抜される構成としてもよい。
【００３０】
色分離光学装置３３は、照明光学装置３２から入射される光束を、赤（Ｒ）、緑（Ｇ）及び青（Ｂ）の３つの色光に分離する。この色分離光学装置３３は、赤及び緑の各色光を透過させて、青色光を反射させるダイクロイックミラー３３１と、赤色光を透過させて、緑色光を反射させるダイクロイックミラー３３２と、反射ミラー３３３とを有する。
【００３１】
リレー光学装置３４は、赤色光の光路上に設けられる入射側レンズ３４１、リレーレンズ３４３及び反射ミラー３４２，３４４を有する。このリレー光学装置３４は、分離された赤色光の光路（液晶パネル３５３に到達するまでの光路）が、他の色光の光路に比べて長いため、当該赤色光の損失を抑制するものである。なお、本実施形態では、リレー光学装置３４に赤色光を通す構成としたが、これに限らず、例えば、青色光を通す構成としてもよい。
【００３２】
電気光学装置３５は、入射される光束を変調して画像光を形成する。この電気光学装置３５は、上記３つの色光ごとに設けられる３つのフィールドレンズ３５１、３つの入射側偏光板３５２、光変調装置としての３つの液晶パネル３５３、及び、３つの出射側偏光板３５４と、変調された各色光を合成する色合成光学装置としてのクロスダイクロイックプリズム３５５とを有する。このような電気光学装置３５では、フィールドレンズ３５１を除いた各構成がユニットとして一体化されている。
投射光学装置３６は、クロスダイクロイックプリズム３５５により合成された光束（画像を形成する光束）を前述の被投射面上に拡大投射する投射レンズである。
【００３３】
これら光源装置３１及び各光学装置３２〜３６は、光学部品用筐体４内に設定された照明光軸Ａｘに対する所定位置に位置付けられる。このため、光源装置３１が光学部品用筐体４内に収納された際には、当該光源装置３１から出射される光束の中心軸は、照明光軸Ａｘと一致する。  
【００３４】
［第２レンズアレイユニットの構成］
図２及び図３は、それぞれ、第２レンズアレイユニット６を光束出射側及び光束入射側から見た斜視図である。
なお、以下の説明において、第１レンズアレイ３２１から入射される光の進行方向をＺ方向とし、当該Ｚ方向にそれぞれ直交し、かつ、互いに直交する方向をＸ方向及びＹ方向とする。なお、本実施形態では、Ｘ方向を、Ｚ方向基端側（−Ｚ方向側）から見て左から右に向かう方向とし、Ｙ方向を、上から下に向かう方向（鉛直方向であり、本実施形態における設置方向に相当）として説明する。
第２レンズアレイユニット６は、本実施形態における光学部品に相当し、図２及び図３に示すように、光学素子としてのレンズアレイ本体６１と、当該レンズアレイ本体６１を内部に収納するフレーム６２とを備える。
【００３５】
［レンズアレイ本体の構成］
図４は、レンズアレイ本体６１を光束出射側（Ｚ方向基端側）から見た図である。
レンズアレイ本体６１は、図４に示すように、第１レンズアレイ３２１の複数の第１レンズに対応する小レンズである第２レンズ６１１１が、当該第１レンズアレイ３２１と同様にマトリクス状に配置された構造を有し、第１レンズアレイ３２１から入射される複数の部分光束を液晶パネル３５３に重畳させる第２レンズアレイとして機能するものである。このレンズアレイ本体６１は、略八角形状に形成されている。このレンズアレイ本体６１における光束出射側（Ｚ方向先端側）の端面６１Ａの略中央には、Ｚ方向先端側（＋Ｚ方向側）に膨出する有効領域６１１が形成され、当該有効領域６１１の周囲には、ＸＹ平面に沿う平坦な非有効領域６１２が形成されている。
【００３６】
有効領域６１１には、上記複数の第２レンズ６１１１が形成されており、各第２レンズ６１１１は、Ｚ方向に突出する凸レンズである。そして、レンズアレイ本体６１は、当該各第２レンズ６１１１により、第１レンズアレイ３２１から入射される複数の部分光束を、前述の液晶パネル３５３の画像形成領域に重畳させる。すなわち、有効領域６１１は、入射される光束を光学変換する本実施形態における光学変換部に相当し、非有効領域６１２は、本実施形態における平坦部に相当する。
なお、本実施形態では、端面６１ＡがＺ方向先端側を向くようにレンズアレイ本体６１を配置しているが、これに限らず、当該端面６１ＡがＺ方向基端側を向くように配置してもよい。
【００３７】
［フレームの構成］
フレーム６２は、レンズアレイ本体６１を内部に収納した状態で、後述する光学部品用筐体４に形成された溝部４２５，４２６（図８参照）に設置（挿入）されるものであり、レンズアレイ本体６１よりも熱伝導率が低い材料で形成されている。このフレーム６２は、図２及び図３に示すように、フレーム本体６３と、第１付勢部材６４（図５参照）と、第２付勢部材６５と、を備える。
【００３８】
［フレーム本体の構成］
フレーム本体６３は、レンズアレイ本体６１の非有効領域６１２を覆うとともに、当該レンズアレイ本体６１の周縁を囲む枠状の部材である。このフレーム本体６３は、本実施形態では、光学部品用筐体４と同じ材料で形成されている。
このようなフレーム本体６３は、レンズアレイ本体６１の端面６１Ａに対向配置される略矩形状の正面部６３１と、当該正面部６３１からレンズアレイ本体６１に近接する方向（すなわちＺ方向基端側）に延出して、当該レンズアレイ本体６１における周方向の端面６１Ｂ（Ｚ方向に沿う端面６１Ｂ）を覆う周縁部６３２と、Ｚ方向基端側に開口する凹部６３３（図５及び図６参照）とを有する。
【００３９】
正面部６３１の略中央には、図２に示すように、Ｚ方向先端側から見て略八角形状の開口部６３１１が形成されている。この開口部６３１１内には、フレーム本体６３にレンズアレイ本体６１を取り付けた場合に、前述の有効領域６１１が位置する。
この開口部６３１１の端縁のうち、Ｘ方向及びＹ方向に対してそれぞれ傾斜する部位には、Ｚ方向基端側（レンズアレイ本体６１側）に突出する突出部６３１２が形成されている。これら突出部６３１２には、前述の非有効領域６１２が当接される。すなわち、当該突出部６３１２の先端面が、フレーム本体６３において端面６１Ａと当接する当接面となる。
【００４０】
正面部６３１のＸ方向両端部には、周縁部６３２の形成位置から更にＸ方向基端側及び先端側に延出する延出部６３１３が形成されている。これら延出部６３１３は、光学部品用筐体４に形成された溝部４２５，４２６（図８参照）内に設置される部分である。
これら延出部６３１３におけるＺ方向先端側の端面には、フレーム側溝部としての溝部６３１４がそれぞれ形成されている。これら溝部６３１４は、Ｙ方向に沿う主幹部６３１５と、当該主幹部６３１５からＸ方向に沿って延出する枝部６３１６とを有する。換言すると、当該溝部６３１４は、それぞれ延出部６３１３におけるＺ方向先端側の端面に沿う主幹部６３１５と３つの枝部６３１６とを有し、主幹部６３１５は、Ｙ方向に沿い、３つの枝部６３１６は、Ｘ方向に沿って主幹部６３１５と交差する。
【００４１】
更に、延出部６３１３におけるＹ方向基端側（−Ｙ方向側）の端面には、凹部６３１７が形成され、当該凹部６３１７の底部は、主幹部６３１５と接続されている。すなわち、当該主幹部６３１５は、延出部６３１３におけるＹ方向基端側の端面と、Ｚ方向先端側の端面とに亘って設けられている。
【００４２】
周縁部６３２におけるＹ方向基端側及び先端側の各端面には、図２及び図３に示すように、それぞれ２つの突起６３２１が形成されている。これら突起６３２１は、第２付勢部材６５に形成された開口部６５２１，６５３１に挿入され、当該第２付勢部材６５をフレーム本体６３に係止する。
また、図２に示すように、周縁部６３２のＹ方向基端側の端面におけるＸ方向略中央には、凹部６３２２が形成されている。
【００４３】
更に、周縁部６３２のＹ方向先端側（＋Ｙ方向側）の端面におけるＸ方向略中央には、図２及び図３に示すように、突起６３２１の形成位置よりＹ方向先端側に突出した抵抗部６３２３が設けられている。この抵抗部６３２３には、第２レンズアレイユニット６を前述の照明光軸Ａｘに対して位置調整する際に、治具（図示省略）が当接される。このような抵抗部６３２３にはホーニング処理が施されており、これにより、抵抗部６３２３と治具との間の抵抗が高められ、滑りの発生が抑制されている。
【００４４】
図５は、レンズアレイ本体６１及びフレーム本体６３をＺ方向基端側から見た背面図である。また、図６は、ＸＺ平面におけるレンズアレイ本体６１及びフレーム本体６３を示す断面図である。
凹部６３３は、図５及び図６に示すように、フレーム本体６３においてＺ方向基端側に開口するように形成されている。この凹部６３３の底面６３３１は、正面部６３１のＺ方向先端側の面により形成され、また、当該凹部６３３の内側面６３３２は、周縁部６３２の内面により形成されている。このような凹部６３３は、図５に示すように、Ｚ方向基端側から見て略八角形状に形成されており、当該凹部６３３には、底面６３３１に端面６１Ａが対向するようにレンズアレイ本体６１が嵌め込まれる。この状態では、レンズアレイ本体６１の端面６１Ｂは、内側面６３３２により囲まれる。
【００４５】
この内側面６３３２におけるＸ方向基端側（−Ｘ方向側）の部位には、Ｘ方向先端側（＋Ｘ方向側）に突出する１つの突出部６３３３が形成され、Ｙ方向先端側の部位には、Ｙ方向基端側に突出する２つの突出部６３３４が形成されている。これら突出部６３３３，６３３４は、当該凹部６３３内に配置されたレンズアレイ本体６１の端面６１Ｂと当接される。
このような凹部６３３に隣接して、フレーム本体６３におけるＹ方向基端側で、かつ、Ｘ方向先端側の隅部には、第１付勢部材６４が配置される配置部６３３５が設けられている。
【００４６】
［第１付勢部材の構成］
第１付勢部材６４は、上記配置部６３３５に配置され、凹部６３３内に収納されたレンズアレイ本体６１に当接して、当該レンズアレイ本体６１を前述の突出部６３３３，６３３４に向けて付勢する。このような第１付勢部材６４は、板ばね６４１と、配置部６３３５内に配置されて当該板ばね６４１を保持する保持部材６４２と、を備える。
【００４７】
これらのうち、板ばね６４１は、端面６１Ｂに当接して、レンズアレイ本体６１をＹ方向先端側及びＸ方向基端側に付勢して押圧する。これにより、当該レンズアレイ本体６１は、前述の突出部６３３３，６３３４と当接された状態が維持され、凹部６３３内でレンズアレイ本体６１がＸ方向及びＹ方向に沿って揺動することが抑制される。
なお、本実施形態では、第１付勢部材６４は、板ばね６４１を有する構成としたが、これに限らず、コイルばねや弾性部材等の他の構成により、レンズアレイ本体６１を押圧付勢する構成としてもよい。
【００４８】
［第２付勢部材の構成］
図７は、第２付勢部材６５をＺ方向基端側から見た斜視図である。
第２付勢部材６５は、凹部６３３内に収納されたレンズアレイ本体６１をＺ方向先端側に押圧して、端面６１Ａと突出部６３１２との当接状態を維持する板ばねである。この第２付勢部材６５は、図２に示すように、当該凹部６３３を閉塞するように、Ｚ方向基端側からフレーム本体６３に取り付けられる。このような第２付勢部材６５は、図２及び図７に示すように、ＸＹ平面に沿う板状部６５１と、当該板状部６５１におけるＹ方向両端からＺ方向先端側に向かって延出する一対の延出部６５２，６５３と、を備える。
【００４９】
これらのうち、Ｙ方向基端側に位置する延出部６５２には、略矩形の開口部６５２１が２つ形成され、Ｙ方向先端側に位置する延出部６５３には、同様の開口部６５３１が２つ形成されている。これら開口部６５２１，６５３１には、第２付勢部材６５をフレーム本体６３に取り付けた際に、前述の突起６３２１が挿入される。これにより、第２付勢部材６５がフレーム本体６３に係止される。
また、延出部６５３におけるＸ方向略中央には、略矩形の切欠６５３２が形成されている。この切欠６５３２の形成位置は、前述の抵抗部６３２３に応じた位置である。そして、第２付勢部材６５がフレーム本体６３に取り付けられた際には、当該切欠６５３２を介して、抵抗部６３２３がＹ方向先端側に露出する。
【００５０】
板状部６５１は、第２付勢部材６５においてフレーム本体６３のＺ方向基端側の端面と対向し、前述の凹部６３３を覆う。この板状部６５１における略中央には、フレーム本体６３の開口部６３１１に応じた略八角形状の開口部６５１１が形成されている。この開口部６５１１を介して、第１レンズアレイ３２１から出射された光が凹部６３３内に位置するレンズアレイ本体６１の有効領域６１１に入射され、当該レンズアレイ本体６１を介した光は、開口部６５１１を介して、偏光変換素子３２３に入射される。
【００５１】
板状部６５１において開口部６５１１に対するＸ方向基端側及び先端側の領域には、Ｚ方向先端側に屈曲する押圧部６５１２がそれぞれ設けられている。これら押圧部６５１２は、第２付勢部材６５がフレーム本体６３に取り付けられた際に、凹部６３３内のレンズアレイ本体６１におけるＺ方向基端側の端面６１Ｃ（光束入射側の端面６１Ｃ）に当接して、当該レンズアレイ本体６１をＺ方向先端側に位置する底面６３３１に向かって押圧する。これにより、開口部６３１１端縁に形成された突出部６３１２に非有効領域６１２が押圧されるので、凹部６３３内にてレンズアレイ本体６１がＺ方向に沿って揺動することが抑制される。
【００５２】
［第２レンズアレイユニットの組立］
以上のような第２レンズアレイユニット６の組立工程としては、以下の手順を例示できる。
まず、フレーム本体６３の凹部６３３に対して、端面６１Ａが底面６３３１に対向し、端面６１Ｂが内側面６３３２により囲まれるようにして、レンズアレイ本体６１を配置する。この際、端面６１Ｂに当接する板ばね６４１により、レンズアレイ本体６１が突出部６３３３，６３３４に押圧付勢され、凹部６３３内でのレンズアレイ本体６１のＸ方向及びＹ方向に沿う揺動が規制される。
【００５３】
この後、突起６３２１が開口部６５２１，６５３１に挿入されるように、Ｚ方向基端側からフレーム本体６３に第２付勢部材６５を取り付ける。この第２付勢部材６５の押圧部６５１２により、突出部６３１２に端面６１Ａにおける非有効領域６１２が当接された状態で、端面６１ＣがＺ方向先端側へと押圧付勢されることで、凹部６３３内でのレンズアレイ本体６１のＺ方向への揺動が規制される。そして、これにより、第２レンズアレイユニット６が組み立てられる。
このようにして組み立てられた第２レンズアレイユニット６は、光学部品用筐体４に形成された溝部４２５，４２６に設置（挿入）され、接着剤により固定される。
【００５４】
［光学部品用筐体の構成］
図８は、光学部品用筐体４の一部を拡大して示す平面図である。詳しくは、図８は、光学部品用筐体４を構成する部品収納部材４１の一部を拡大して示す平面図である。
光学部品用筐体４は、前述のように、光源装置３１が取り付けられるとともに、上記各光学装置３２〜３４及びフィールドレンズ３５１を内部に収納する合成樹脂製の筐体である。このような光学部品用筐体４は、図８に示すように、上記光学部品を収納する部品収納部材４１と、当該部品収納部材４１に形成された光学部品挿入用の開口部４２１を閉塞する蓋状部材４９（図９参照）とを有する。
【００５５】
部品収納部材４１は、上記各光学装置３２〜３４及びフィールドレンズ３５１を収納する本体部４２と、当該本体部４２の一端に形成され、光源装置３１を内部に収納する光源収納部４３とを有する。
これらのうち、本体部４２において互いに対向する一対の側壁４２Ａ（それぞれＹ方向に沿う一対の側壁４２Ａ）には、それぞれ、第１レンズアレイ３２１及び偏光変換素子３２３がＹ方向先端側に向かってそれぞれ挿入される溝部４２２，４２３が形成されている。これらのうち、溝部４２２には、第１レンズアレイ３２１をＺ方向基端側の面に付勢する板ばね４２４が設けられている。
【００５６】
この他、上記一対の側壁４２Ａには、第２レンズアレイユニット６の延出部６３１３がＹ方向先端側に向かって挿入される溝部４２５，４２６がそれぞれ形成されている。これら溝部４２５，４２６は、本実施形態における筐体側溝部に相当する。
これら溝部４２５，４２６のうち、Ｘ方向基端側に位置する溝部４２５は、対応する延出部６３１３におけるＺ方向基端側及び先端側の側面と、Ｘ方向基端側の側面とを覆う内面を有する。同様に、Ｘ方向先端側に位置する溝部４２６は、対応する延出部６３１３におけるＺ方向基端側及び先端側の側面と、Ｘ方向先端側の側面とを覆う内面を有する。
なお、溝部４２５の内面と、対応する延出部６３１３におけるＸ方向基端側の側面との間、及び、溝部４２６の内面と、対応する延出部６３１３におけるＸ方向先端側の側面との間には、第２レンズアレイユニット６をＸ方向に沿って位置調整可能なクリアランスが設けられている。
【００５７】
［第２レンズアレイユニットの固定］
上記溝部４２５，４２６に第２レンズアレイユニット６を固定するときには、まず、当該溝部４２５，４２６におけるＺ方向先端側の面と、延出部６３１３における溝部６３１４が形成された面とを対向させるようにして、第２レンズアレイユニット６を溝部４２５，４２６に挿入する。そして、前述の抵抗部６３２３を当接及び支持する治具（図示省略）により、第２レンズアレイユニット６を位置調整した後、溝部４２５，４２６に接着剤を注入する。これにより、第２レンズアレイユニット６が固定される。
【００５８】
なお、溝部４２５，４２６に注入された接着剤のうち、一部は、延出部６３１３におけるＹ方向基端側の端面に形成された凹部６３１７内に流入し、ひいては、溝部６３１４内に流入する。この溝部６３１４が形成された延出部６３１３の部位は、溝部４２５，４２６におけるＺ方向先端側の内面と対向している。このため、当該接着剤と溝部４２５，４２６及び延出部６３１３との接触面積を拡大でき、当該溝部４２５，４２６に第２レンズアレイユニット６を安定して固定できる。
更に、当該溝部６３１４は、主幹部６３１５の他、当該主幹部６３１５から延出する枝部６３１６を有することにより、第２レンズアレイユニット６をより安定して溝部４２５，４２６に固定できる。
【００５９】
［光学部品用筐体に形成された冷却流路］
上記部品収納部材４１の本体部４２を形成する側壁４２Ａのそれぞれには、図８に示すように、溝部４２５，４２６近傍に、Ｙ方向に沿って部品収納部材４１を貫通する貫通孔４２７，４２８が形成されている。このような貫通孔４２７，４２８は、例えば、側壁４２Ａ内の領域において、フレーム本体６３において溝部６３１４を有する延出部６３１３、及び、当該延出部６３１３に対向する側壁４２Ａの固定面に対して少なくとも一部が対向する位置に形成される。
詳述すると、本実施形態では、貫通孔４２７は、Ｘ方向基端側の側壁４２Ａにおける溝部４２５と溝部４２３との間に形成され、貫通孔４２８は、Ｘ方向先端側の側壁４２Ａにおける溝部４２６と溝部４２３との間に形成されている。そして、貫通孔４２７，４２８におけるＺ方向基端側の端縁が、延出部６３１３と、溝部４２５，４２６におけるＺ方向先端側の内面とに対向している。
【００６０】
図９は、光学部品用筐体４に形成された冷却流路を示す模式図である。なお、当該図９においては、Ｘ方向基端側に位置する側壁４２Ａの貫通孔４２７内に形成された冷却流路を示している。
上記貫通孔４２７は、図９に示すように、蓋状部材４９において当該貫通孔４２７に対応する位置に形成された貫通孔４９１と接続されており、これら貫通孔４２７，４９１により、光学部品用筐体４には、溝部４２５内の接着剤を冷却する空気が流通する流路が形成されている。そして、前述の冷却装置９を構成する冷却用ファン９１からダクト９２を介して送出された空気の一部は、当該流路に沿ってＹ方向先端側に流通し、この流通過程で、貫通孔４２７近傍、すなわち、光学部品用筐体４における溝部４２５近傍の領域を冷却する。これにより、当該溝部４２５内の接着剤が冷却される。
【００６１】
なお、図示を省略したが、貫通孔４２８も、蓋状部材４９において当該貫通孔４２８に対応する位置に形成された貫通孔と接続されており、これら貫通孔４２８内には、光学部品用筐体４における溝部４２６近傍の領域を冷却する空気の流路が形成されている。そして、ダクト９２を介して導風された空気が、貫通孔４２８内を流通する過程で、当該溝部４２６近傍の領域が冷却され、これにより、当該溝部４２６内の接着剤が冷却される。
【００６２】
以上説明した本実施形態に係るプロジェクター１によれば、以下の効果がある。
レンズアレイ本体６１は、当該レンズアレイ本体６１を保持するフレーム６２を介して、溝部４２５，４２６に接着剤により固定される。これによれば、フレーム６２が設けられていない場合に比べて、レンズアレイ本体６１と溝部４２５，４２６との接着部位を、当該レンズアレイ本体６１に入射される光束の中心軸から遠ざけることができる他、調光装置５からの輻射熱に晒される位置から遠ざけることができる。このため、当該中心軸近傍で生じた高い熱や、当該輻射熱が、上記接着部位に及ぼす影響を小さくでき、接着剤が溶融することを抑制できる。従って、接着剤の溶融による第２レンズアレイユニット６の位置ずれが生じることを抑制でき、当該第２レンズアレイユニット６を安定して溝部４２５，４２６に固定できる。
【００６３】
また、接着剤の温度上昇を抑制できるので、溶融温度が比較的低い接着剤を利用することも可能となり、使用される接着剤の選択範囲を拡大できる。
更に、フレーム６２を用いることにより、レンズアレイ本体６１のコバ厚（レンズ周辺の厚さであり、非有効領域６１２におけるＺ方向に沿う寸法）が変更される場合でも、当該フレーム６２を変更することで、光学部品用筐体４を変更せずに利用できる。従って、光学部品用筐体４を共通化できる。
加えて、フレーム６２により保持される光学部品が、第１レンズアレイ３２１からの光束が入射されるレンズアレイ本体６１であるので、当該レンズアレイ本体６１の位置ずれを抑制でき、液晶パネル３５３に光束を適切に入射させることができる。  
【００６４】
フレーム本体６３の延出部６３１３には、Ｙ方向に沿う溝部６３１４が形成されている。これによれば、第２レンズアレイユニット６が挿入された溝部４２５，４２６に接着剤が注入されると、当該接着剤は、延出部６３１３におけるＹ方向基端側の端面から溝部６３１４に流入する。これによれば、接着剤とフレーム本体６３及び溝部４２５，４２６の内面との接触面積を拡大できる。従って、当該溝部４２５，４２６に対してフレーム６２を確実に固定でき、ひいては、第２レンズアレイユニット６を安定して固定できる。
【００６５】
溝部６３１４は、主幹部６３１５及び枝部６３１６を有することにより、上記接触面積を更に拡大でき、第２レンズアレイユニット６をより安定して固定できる。
また、延出部６３１３におけるＹ方向基端側の端面には、凹部６３１７が形成されている。これによれば、当該凹部６３１７に接着剤を注入することで、溝部６３１４に接着剤を流しやすくすることができる。従って、上記接触面積を確実に拡大でき、第２レンズアレイユニット６をより一層安定して固定できる。
【００６６】
フレーム６２の熱伝導率は、レンズアレイ本体６１の熱伝導率より低いので、当該レンズアレイ本体６１で生じた熱を、溝部４２５，４２６内の接着剤に伝達しにくくすることができる。従って、接着剤の溶融による第２レンズアレイユニット６の位置ずれをより確実に抑制できる。
【００６７】
フレーム６２は、レンズアレイ本体６１の端面６１Ｂをフレーム本体６３の凹部６３３における内側面６３３２に向かって付勢する第１付勢部材６４を備える。これによれば、レンズアレイ本体６１が凹部６３３内においてＸ方向及びＹ方向に沿って揺動することなく、当該レンズアレイ本体６１を保持できる。
また、フレーム６２は、レンズアレイ本体６１を凹部６３３の底面６３３１（詳しくは、突出部６３１２）に向かって付勢する第２付勢部材６５を備える。これによれば、レンズアレイ本体６１が凹部６３３内においてＺ方向に沿って揺動することなく、当該レンズアレイ本体６１を保持できる。
従って、フレーム本体６３にレンズアレイ本体６１を安定して取り付けることができ、溝部４２５，４２６に接着固定されるフレーム６２内で当該レンズアレイ本体６１の位置ずれが生じることを抑制できる。
【００６８】
フレーム本体６３は、光学部品用筐体４と同一の材料（本実施形態では、合成樹脂）で形成されているので、接着剤とフレーム本体６３及び溝部４２５，４２６との親和性を高めることができる。従って、当該フレーム本体６３と溝部４２５，４２６とを強固に接着固定できる他、使用可能な接着剤の選択範囲を更に拡大できる。
【００６９】
フレーム本体６３のＹ方向先端側の端部には、抵抗部６３２３が設けられ、当該抵抗部６３２３は、Ｙ方向先端側に突出している。これによれば、当該抵抗部６３２３に当接して、第２レンズアレイユニット６の位置調整を実施する治具とフレーム６２との滑りを抑制できる。従って、治具による第２レンズアレイユニット６の位置調整を実施しやすくすることができる。
【００７０】
光学部品用筐体４に形成された貫通孔４２７，４２８，４９１により、上記溝部４２５，４２６近傍で、かつ、当該溝部４２５，４２６が形成された側壁４２Ａ内には、Ｙ方向基端側に向かって空気が流通する流路が形成されている。これによれば、当該流路内を流通する空気により、当該流路近傍に位置する溝部４２５，４２６周辺の領域を冷却でき、ひいては、当該溝部４２５，４２６内の接着剤を冷却できる。従って、接着剤の溶融による第２レンズアレイユニット６の位置ずれを抑制できる。
【００７１】
［実施形態の変形］
本発明は前述の実施形態に限定されるものではなく、本発明の目的を達成できる範囲での変形、改良等は本発明に含まれるものである。
前記実施形態では、フレーム本体６３は、レンズアレイ本体６１の端面６１Ａを覆う正面部６３１と、当該正面部６３１から延出して、レンズアレイ本体６１の端面６１Ｂを囲む周縁部６３２を有するとしたが、本発明はこれに限らない。例えば、フレーム本体は、周縁部６３２と、当該周縁部６３２から互いに反対方向（例えば、Ｘ方向）に延出する延出部６３１３と、を有する構成としてもよい。更に、延出部６３１３は無くてもよい。  
【００７２】
前記実施形態では、フレーム６２を介して光学部品用筐体４に接着固定される光学素子の一例として、レンズアレイ本体６１を例示したが、本発明はこれに限らない。すなわち、光学部品用筐体４内において照明光軸Ａｘに対する位置調整を要する光学素子であれば、他の光学特性を有する光学素子であってもよい。
【００７３】
前記実施形態では、延出部６３１３に、Ｙ方向に沿って延出する溝部６３１４が形成されていたが、本発明はこれに限らない。すなわち、溝部４２５，４２６に対して第２レンズアレイユニット６を安定して固定できれば、当該溝部６３１４は無くてもよい。また、当該溝部６３１４を設ける場合でも、２つの延出部６３１３のうち、一方のみに形成する構成としてもよい。
更に、溝部６３１４は、主幹部６３１５と３つの枝部６３１６とを有するとしたが、本発明はこれに限らない。枝部６３１６の数は、３つに限らず、適宜設定可能である。更に、このような枝部６３１６は無くてもよく、主幹部６３１５も直線状に延出する形状に限らず、湾曲及び屈曲していてもよい。
【００７４】
前記実施形態では、延出部６３１３におけるＹ方向基端側の端面には、底部にて上記溝部６３１４と接続される凹部６３１７が形成されているとしたが、本発明はこれに限らない。すなわち、当該凹部６３１７は無くてもよい。
【００７５】
前記実施形態では、フレーム６２の熱伝導率は、レンズアレイ本体６１の熱伝導率より低いとしたが、本発明はこれに限らない。例えば、第２レンズアレイユニット６を安定して溝部４２５，４２６に接着固定でき、接着剤の溶融を抑制できる程度に接着位置を遠ざけることができればよく、フレーム６２の熱伝導率は、レンズアレイ本体６１の熱伝導率と同一でもよく、高くてもよい。
【００７６】
前記実施形態では、フレーム６２は、レンズアレイ本体６１を凹部６３３内で固定するために、板ばね６４１を有する第１付勢部材６４と、板ばねとして構成された第２付勢部材６５と、を備える構成としたが、本発明はこれに限らない。例えば、フレーム本体６３にレンズアレイ本体６１をねじ固定等により係止できれば、これら第１付勢部材６４及び第２付勢部材６５を設けなくてもよい。また、他の構成により、レンズアレイ本体６１の揺動を抑制してもよい。
【００７７】
前記実施形態では、フレーム本体６３は、光学部品用筐体４と同一の材料で形成されているとしたが、本発明はこれに限らない。フレーム本体６３を溝部４２５，４２６に対して接着剤によって固定できればよく、フレーム本体６３を光学部品用筐体４とは異なる材料で形成してもよい。
【００７８】
前記実施形態では、抵抗部６３２３には、ホーニング処理が施されているとしたが、本発明はこれに限らない。例えば、位置調整用の治具が当接する部位に、位置調整用治具の先端と係合する凹部や凸部を設けてもよい。また、抵抗部６３２３の設置位置は、フレーム本体６３におけるＹ方向先端側の端面でなくてもよく、他の端面（例えばＹ方向基端側の端面や、Ｘ方向先端側及び基端側の両端面のいずれか）であってもよい。
【００７９】
前記実施形態では、溝部４２５，４２６近傍の領域を冷却する空気が流通する貫通孔４２７，４２８を、側壁４２Ａ内における溝部４２５と溝部４２３との間、及び、溝部４２６と溝部４２３との間に形成するとしたが、本発明はこれに限らない。すなわち、溝部４２５，４２６近傍の領域を冷却し、ひいては、当該溝部４２５，４２６内の接着剤を冷却できれば、側壁４２Ａ内における貫通孔の形成位置は問わない。例えば、溝部４２５に対するＸ方向基端側、及び、溝部４２６に対するＸ方向先端側に、当該貫通孔を形成してもよく、更に、これら溝部４２５，４２６に対するＺ方向基端側に、当該貫通孔を形成してもよい。加えて、第２レンズアレイユニット６がフレーム６２を有することで、接着剤の溶融を十分に抑制可能であれば、上記貫通孔は無くてもよい。
また、貫通孔４２７，４２８は、Ｙ方向に沿って形成されているとしたが、本発明はこれに限らず、他の方向（例えば、Ｘ方向）に沿って形成されていてもよい。
更に、貫通孔４２７，４２８内を流通する冷却流体は、気体に限らず、液体でもよい。
【００８０】
前記実施形態では、プロジェクター１は、３つの液晶パネル３５３を備えるとしたが、本発明はこれに限らない。すなわち、２つ以下、あるいは、４つ以上の液晶パネルを用いたプロジェクターにも、本発明を適用可能である。
前記実施形態では、光学ユニット３は平面視略Ｌ字形状を有した構成を説明したが、これに限らず、他の形状を有していても良い。例えば、平面視略Ｕ字形状を有した構成を採用してもよい。
前記実施形態では、光束入射面と光束出射面とが異なる透過型の液晶パネル３５３を用いていたが、光入射面と光出射面とが同一となる反射型の液晶パネルを用いてもよい。
【００８１】
前記実施形態では、光変調装置として液晶パネル３５３を備えたプロジェクター１を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクターにも、本発明を適用することも可能である。このような光変調装置を用いた場合、入射側偏光板３５２及び出射側偏光板３５４は省略できる。
【産業上の利用可能性】
【００８２】
本発明は、位置調整を要する光学素子を備えたプロジェクターに利用でき、特に当該光学素子として第２レンズアレイを有するプロジェクターに好適に利用できる。
【符号の説明】
【００８３】
１…プロジェクター、４…光学部品用筐体、６…第２レンズアレイユニット（光学部品）、９…冷却装置（冷却装置）、３１…光源装置、３６…投射光学装置、６１…レンズアレイ本体（光学素子、第２レンズアレイ）、６２…フレーム、６３…フレーム本体、６４…第１付勢部材、６５…第２付勢部材、３２１…第１レンズアレイ、３５３…液晶パネル（光変調装置）、４２Ａ…側壁、４２５，４２６…溝部（筐体側溝部）、６１１…有効領域（光学変換部）、６１２…非有効領域（平坦部）、６３１４…溝部（フレーム側溝部）、６３２３…抵抗部。
【図１】
2014085372.tif 000003
【図２】
2014085372.tif 000004
【図３】
2014085372.tif 000005
【図４】
2014085372.tif 000006
【図５】
2014085372.tif 000007
【図６】
2014085372.tif 000008
【図７】
2014085372.tif 000009
【図８】
2014085372.tif 000010
【図９】
2014085372.tif 000011